【手続補正書】
【提出日】平成27年6月25日(2015.6.25)
【手続補正１】
【補正対象書類名】特許請求の範囲
【補正対象項目名】全文
【補正方法】変更
【補正の内容】
【特許請求の範囲】
【請求項１】
被写体像を撮像し、画像信号を出力する撮像手段と、
前記撮像手段より出力される画像信号の黒レベルを補正する第１の補正手段と、
前記第１の補正手段によって補正された複数の画像信号から画素合成に使用する画像信号を画素別に選んで合成画像信号を生成する合成手段と、
前記合成手段によって生成された合成画像信号の黒レベルを補正する第２の補正手段と、
を有することを特徴とする撮像装置。
【請求項２】
前記合成手段は、前記第１の補正手段によって補正された複数の画像信号から、画素値の高い画素を選んで合成画像信号を生成することを特徴とする請求項１記載の撮像装置。
【請求項３】
前記合成手段は、前記第１の補正手段によって補正された複数の画像信号から、画素値の低い画素を選んで合成画像信号を生成することを特徴とする請求項１記載の撮像装置。
【請求項４】
前記第１の補正手段によって補正された複数の画像信号にホワイトバランス、シェーディング補正のうちの少なくとも１つを施す処理手段を有し、
前記合成手段は、前記処理手段によって処理された複数の画像信号から前記合成画像信号を生成することを特徴とする請求項１乃至３のいずれか１つに記載の撮像装置。
【請求項５】
前記合成手段は、前記第１の補正手段によって補正された複数の画像信号を、画素別に加算あるいは加算平均して合成画像信号を生成可能であり、この場合は当該合成画像信号に前記第２の補正手段による補正を行わないことを特徴とする請求項１乃至４のいずれか１つに記載の撮像装置。
【請求項６】
前記撮像手段の撮像素子上の遮光された所定領域の画像信号から黒レベルを算出する黒レベル算出手段と、
前記第１の補正手段及び前記第２の補正手段は、前記黒レベル算出手段で算出された黒レベルに基づいて黒レベルの補正を行うことを特徴とする請求項１乃至５のいずれか１つに記載の撮像装置。
【請求項７】
前記合成手段による前記複数の画像信号の合成方法、前記複数の画像信号の撮影時のＩＳＯ感度、露光時間及び前記撮像素子のうちの少なくとも１つに応じて、前記第２の補正手段での補正を行うか否かを判定する判定手段を有することを特徴とする請求項１乃至６のいずれか１つに記載の撮像装置。
【請求項８】
複数の画像信号を取得する取得手段と、
前記取得手段より出力される前記複数の画像信号から画素合成に使用する画像信号を画素別に選んで合成画像信号を生成する合成手段と、
前記合成手段によって生成された合成画像信号の黒レベルを補正する補正手段と、
を有することを特徴とする画像処理装置。
【請求項９】
前記合成手段は、前記複数の画像信号から、画素値の高い画素を選んで合成画像信号を生成することを特徴とする請求項８に記載の画像処理装置。
【請求項１０】
前記合成手段は、前記複数の画像信号から、画素値の低い画素を選んで合成画像信号を生成することを特徴とする請求項８に記載の画像処理装置。
【請求項１１】
前記補正手段は、前記取得手段より出力され、前記合成手段による合成前の各画像信号に対してそれぞれ黒レベルを補正することを特徴とする請求項８乃至１０のいずれか１つに記載の画像処理装置。
【請求項１２】
前記画像信号のうち遮光され撮影された所定領域の画像信号から黒レベルを算出する黒レベル算出手段を有し、
前記補正手段は、前記黒レベル算出手段で算出された黒レベルに基づいて黒レベルの補正を行うことを特徴とする請求項８乃至１１のいずれか１つに記載の撮像装置。
【請求項１３】
被写体像を撮像し、画像信号を出力する撮像手段と、画像信号の黒レベルを補正する補正手段と、複数の画像信号を合成する合成手段と、を有する撮像装置の制御方法であって、
前記撮像手段より出力される画像信号の黒レベルを補正する第１の補正ステップと、
前記第１の補正ステップにて補正された複数の画像信号から画素合成に使用する画像信号を画素別に選んで合成画像信号を生成する合成ステップと、
前記合成ステップにて生成された合成画像信号の黒レベルを補正する第２の補正ステップと、を有することを特徴とする撮像装置の制御方法。
【請求項１４】
複数の画像信号を取得する取得手段と、画像信号の黒レベルを補正する補正手段と、複数の画像信号を合成する合成手段と、を有する画像処理装置の制御方法であって、
前記取得手段より出力される複数の画像信号から画素合成に使用する画像信号を画素別に選んで合成画像信号を生成する合成ステップと、
前記合成ステップにて生成された合成画像信号の黒レベルを補正する補正ステップと、を有することを特徴とする画像処理装置の制御方法。
【請求項１５】
請求項１３に記載の撮像装置の制御方法の手順が記述されたコンピュータで実行可能なプログラム。
【請求項１６】
コンピュータに、請求項１３に記載の撮像装置の制御方法の各工程を実行させるためのプログラムが記憶されたコンピュータが読み取り可能な記憶媒体。
【請求項１７】
請求項１４に記載の画像処理装置の制御方法の手順が記述されたコンピュータで実行可能なプログラム。
【請求項１８】
コンピュータに、請求項１４に記載の画像処理装置の制御方法の各工程を実行させるためのプログラムが記憶されたコンピュータが読み取り可能な記憶媒体。
【請求項１９】
多重露光撮影が可能な撮像装置であって、
被写体像を撮像し、画像信号を出力する撮像手段と、
画像信号の黒レベルを補正する補正手段と、を備え、
予め用意された複数の多重露光撮影モードのうち、前記撮像手段によって出力された複数の画像信号から画素値が高い方の画像信号または画素値が低い方の画像信号を画素別に選択して合成するモードが選択された場合、前記補正手段は、合成後の画像信号に対して黒レベルを補正することを特徴とする撮像装置。
【請求項２０】
前記補正手段は、合成前の画像信号に対して黒レベルを補正することを特徴とする請求項１９に記載の撮像装置。
【請求項２１】
予め用意された複数の多重露光撮影モードのうち、前記撮像手段によって出力された複数の画像信号を画素別に加算あるいは加算平均して合成するモードが選択された場合、前記補正手段は、合成後の画像信号に対して黒レベルを補正しないことを特徴とする請求項１９または２０に記載の撮像装置。
【手続補正２】
【補正対象書類名】明細書
【補正対象項目名】０００５
【補正方法】変更
【補正の内容】
【０００５】
上記目的を達成するために、本発明における撮像装置は、被写体像を撮像し、画像信号を出力する撮像手段と、前記撮像手段より出力される画像信号の黒レベルを補正する第１の補正手段と、前記第１の補正手段によって補正された複数の画像信号から画素合成に使用する画像信号を画素別に選んで合成画像信号を生成する合成手段と、前記合成手段によって生成された合成画像信号の黒レベルを補正する第２の補正手段と、を有することを特徴とする。
【手続補正３】
【補正対象書類名】明細書
【補正対象項目名】０００６
【補正方法】変更
【補正の内容】
【０００６】
また、本発明における画像処理装置は、複数の画像信号を取得する取得手段と、前記取得手段より出力される複数の画像信号から画素合成に使用する画像信号を画素別に選んで合成画像信号を生成する合成手段と、前記合成手段によって生成された合成画像信号の黒レベルを補正する補正手段と、を有することを特徴とする。
【手続補正４】
【補正対象書類名】明細書
【補正対象項目名】０００７
【補正方法】変更
【補正の内容】
【０００７】
また、本発明における撮像装置の制御方法は、被写体像を撮像し、画像信号を出力する撮像手段と、画像信号の黒レベルを補正する補正手段と、複数の画像信号を合成する合成手段と、を有する撮像装置の制御方法であって、前記撮像手段より出力される画像信号の黒レベルを補正する第１の補正ステップと、前記第１の補正ステップにて補正された複数の画像信号から画素合成に使用する画像信号を画素別に選んで合成画像信号を生成する合成ステップと、前記合成ステップにて生成された合成画像信号の黒レベルを補正する第２の補正ステップと、を有することを特徴とする。
【手続補正５】
【補正対象書類名】明細書
【補正対象項目名】０００８
【補正方法】変更
【補正の内容】
【０００８】
また、本発明における画像処理装置の制御方法は、複数の画像信号を取得する取得手段と、画像信号の黒レベルを補正する補正手段と、複数の画像信号を合成する合成手段と、を有する撮像装置の制御方法であって、前記取得手段より出力される複数の画像信号から画素合成に使用する画像信号を画素別に選んで合成画像信号を生成する合成ステップと、前記合成ステップにて生成された合成画像信号の黒レベルを補正する補正ステップと、を有することを特徴とする。